(57)【要約】【課題】磁石が直接皮膚に接触することを防止し、任意の位置に配置でき、比較的広範囲に磁気効果を与える磁気治療具を提供する。【解決手段】複数の磁石を含む磁気治療具１００は、Ｓ極を表面にした第１磁石１１と、Ｎ極を表面にした第２磁石１２と、両者を覆うとともに固定する樹脂部材１５とを備えている。樹脂部材１５において、第１磁石１１と第２磁石１２とは互いに離間（Ｇ）して配置され、樹脂部材１５、第１磁石１１の裏面（Ｎ極）、第２磁石１２の裏面（Ｓ極）は、テーピング部材２０の表面に配置されている。【選択図】図１
2017023286.tif 000002
【特許請求の範囲】
【請求項１】
複数の磁石を含む磁気治療具であって、
第１極性を表面にし、第２極性を裏面にする第１磁石と、
第２極性を表面にし、第１極性を裏面にする第２磁石と、
前記第１磁石の前記表面および第２磁石の前記表面を覆うとともに、前記第１磁石および前記第２磁石を固定する樹脂部材と
を備え、
前記樹脂部材において、前記第１磁石と前記第２磁石とは互いに離間して配置されており、
前記樹脂部材、前記第１磁石の前記裏面、前記第２磁石の前記裏面は、テーピング部材の表面に配置されている、磁気治療具。
【請求項２】
前記第１磁石は、前記第１極性がＳ極の永久磁石であり、
前記第２磁石は、前記第２極性がＮ極の永久磁石であり、
前記樹脂部材は、シリコーン樹脂から構成されており、
前記テーピング部材は、接着剤によって、前記第１磁石および前記第２磁石を固定している前記樹脂部材と接着されており、
前記テーピング部材の表面のうちの前記樹脂部材が位置している部分を除く領域には、粘着層が形成されており、
前記粘着層の上には、剥離層が形成されている、請求項１に記載の磁気治療具。
【請求項３】
前記第１磁石および前記第２磁石は、フェライト磁石であり、
前記第１磁石と前記第２磁石とが離間している隙間距離は、２ｍｍ以上１０ｍｍ以下である、請求項１または２に記載の請求項１に記載の磁気治療具。
【請求項４】
前記樹脂部材は、前記第１磁石および前記第２磁石を収容する凹部を有しており、
前記凹部は、前記樹脂部材の裏面に形成されており、
前記樹脂部材の表面は、皮膚に接する面であり、
前記樹脂部材の表面のうち、前記第１磁石と前記第２磁石との間に位置する領域には陥没部が形成されている、請求項１から３の何れか一つに記載の磁気治療具。
【請求項５】
前記樹脂部材には、前記第１磁石および前記第２磁石以外の第３磁石が収納されている、請求項１から４の何れか一つに記載の請求項１から４の何れか一つに記載の磁気治療具。
【請求項６】
前記テーピング部材の表面に、複数の前記樹脂部材が配置されている、請求項１から５の何れか一つに記載の磁気治療具。
【請求項７】
複数の磁石を含む磁気治療具であって、
第１凹部および第２凹部を有する樹脂構造体と、
前記第１凹部に収納され、第１極性を上面にし第２極性を下面にする第１磁石と、
前記第２凹部に収納され、第２極性を上面にし第１極性を下面にする第２磁石と
を備え、
第１凹部および第２凹部は、前記樹脂構造体の下面に開口を有しており、
前記樹脂構造体の上面は、使用者の皮膚に接触する面である、磁気治療具。
【請求項８】
前記第１凹部の開口および第２凹部の開口を含む前記樹脂構造体の下面は、シート部材によって覆われている、請求項７に記載の磁気治療具。
【請求項９】
前記シート部材の上面のうち、前記樹脂構造体が位置する領域を除く領域は、粘着層であり、
前記粘着層の上層には、剥離層が形成されている、請求項８に記載の磁気治療具。
【請求項１０】
前記シート部材の上面のうち、前記樹脂構造体が位置する領域には、前記シート部材と前記樹脂構造体を接着させる接着層が形成されている、請求項９に記載の磁気治療具。
【請求項１１】
前記シート部材は、伸縮性を有するサポーター部材である、請求項７または８に記載の磁気治療具。
【請求項１２】
前記樹脂構造体が行列状にシート部材の上に配列されている、請求項７に記載の磁気治療具。
【請求項１３】
前記樹脂構造体は、シリコーン樹脂から構成されており、
前記第１磁石および前記第２磁石は、フェライト磁石であり、
前記第１磁石と前記第２磁石とが離間している隙間距離は、２ｍｍ以上１０ｍｍ以下であり、
前記樹脂構造体の上面のうち、前記第１磁石と前記第２磁石との間に位置する領域には陥没部が形成されている、請求項７から１２の何れか一つに記載の磁気治療具。
【請求項１４】
複数の磁石を含む磁気治療具を皮膚に貼り付ける方法であって、
Ｓ極を表面にした第１磁石と、Ｎ極を表面にした第２磁石とを覆う樹脂材料からなる樹脂構造体がシート部材上に配置された磁気治療具を用意する工程と、
前記樹脂材料を介在させて、前記第１磁石の前記Ｓ極および前記第２磁石のＮ極を皮膚に接触させる工程と、
前記シート部材を前記皮膚に接触させる工程と
を含む、貼付方法。
【請求項１５】
前記シート部材は、支持基層と粘着層と剥離層との積層構造を有しており、
前記剥離層を剥がしてから、前記シート部材を前記皮膚に接触させる工程を実行し、それによって、前記樹脂材料を介在させて、前記第１磁石の前記Ｓ極および前記第２磁石のＮ極を皮膚に接触させた状態にする、請求項１３に記載の貼付方法。
【請求項１６】
前記第１磁石および前記第２磁石は、フェライト磁石であり、
前記第１磁石と前記第２磁石とが離間している隙間距離は、２ｍｍ以上１０ｍｍ以下である、請求項１４または１５に記載の貼付方法。
【請求項１７】
複数の磁石を含む磁気治療具を製造する方法であって、
第１磁石となる第１磁性材料、および、第２磁石となる第２磁性材料を、樹脂構造体の凹部に配置する工程と、
前記第１磁性材料および前記第２磁性材料の極性が互いに反対になるように着磁する工程と
を含む、磁気治療具の製造方法。
【請求項１８】
前記着磁工程の後、前記樹脂構造体をシート部材に固定する工程を実行する、請求項１７に記載の磁気治療具の製造方法。
【請求項１９】
基板の上に、Ｓ極を表面にした第１磁石と、Ｎ極を表面にした第２磁石を配置する工程と、
前記第１磁石および第２磁石を覆うように、前記基板の上に樹脂材料を堆積する工程と、
前記第１磁石および第２磁石がペアになるように前記樹脂材料を型抜きして、前記第１磁石および第２磁石を含む樹脂構造体を形成する工程と
を含む、磁気治療具の製造方法。
【請求項２０】
前記樹脂構造体は、シリコーン樹脂から構成されており、
前記第１磁石および前記第２磁石は、フェライト磁石であり、
前記第１磁石と前記第２磁石とが離間している隙間距離は、２ｍｍ以上１０ｍｍ以下である、請求項１７から２０の何れか一つに記載の磁気治療具の製造方法。
【発明の詳細な説明】
【技術分野】
【０００１】
本発明は、磁気治療具および磁気治療具の製造方法に関する。特に、任意の適切な身体の位置に配置することができ、配置した位置において比較的広範囲に磁気効果を及ぼすことが可能な磁気治療具に関する。
【背景技術】
【０００２】
昭和３６年の薬事法施工令の中で、磁石は治療器具の１つとして登録されている。磁気治療は、確実な効果を発揮しており、例えば、人体表面の温度分布を測定する赤外線サーモグラフィを使って試験してみると、磁気作用は明らかに血行を良くして、体温を上昇させることがわかっている。あらゆるコリやストレスに即効性があるとは言えないまでも、かなりの高確率で驚異的な効果を発揮していることは紛れもない事実である（例えば、特許文献１参照）。
【０００３】
血液成分の中には、プラスイオンとマイナスイオンに電離するものが含まれており、これが血液中を流れるので、電流が流れるのと等しい状態となっている。ここに磁石によって地場を加えると、「フレミングの左手の法則」により力が発生する。この力がイオンの流れを活発にし、血液の流れを良くするものと考えられる。
【０００４】
脳波、心電図、筋電図など、生体には様々な電気現象がみられ、電気と磁気は密接に関わりがあり、空気や水とともに、磁気は健康になくてはならないものである。このようなことから、磁石を身につけて身体のつぼを刺激して血行を促進し、筋肉のこりをほぐし、自律神経のバランスを回復することを目的として、多様な磁気治療器が使用されている。
【０００５】
代表的なものとして、貼付式磁気治療器がある。人体のつぼに磁石をあて、これを粘着剤の付いたシートで上から被せて固定するものである。この方法は、磁石を直接人体のつぼに密着させることができるので効果的である。そのような貼付式磁気治療器しては、例えば、特許文献２に示すような磁気治療器を挙げることができる。
【０００６】
特許文献２に開示された磁気治療器を図１９および図２０（ａ）及び（ｂ）に示す。図１９は、磁気治療器１１００の斜視図である。そして、図２０（ａ）及び（ｂ）は、磁気治療器１１００における粒状磁石体１１４の部分を示す断面図である。
【０００７】
図１９に示すように、磁気治療器１１００では、下部剥離シート１１５の上に、切れ目１１６が入った上部剥離紙１１２が配置されている。図２０（ａ）に示すように、下部剥離シート１１５の下には、粘着性の基層１１１が位置しており、基層１１１の底面に粒状磁石体１１４が取り付けられている。図２０（ａ）は、図１９に示した下部剥離シート１１５から剥がされた状態を示しており、そして、粒状磁石体１１４を皮膚１５０に接触させる。次いで、図２０（ｂ）に示すように、上部剥離紙１１２を剥がすことにより、基層１１１によって粒状磁石体１１４を皮膚１５０の上に固定することができる。
【先行技術文献】
【特許文献】
【０００８】
【特許文献１】特開２００６−１６７１７９号公報
【特許文献２】特開２００５−２９６４５５号公報
【特許文献３】特開２００９−１８０６０号公報
【特許文献４】特開２００２−１７７４０３号公報
【発明の概要】
【発明が解決しようとする課題】
【０００９】
図１９及び図２０に示した貼付式磁気治療器１１００は、磁気を効かせたい任意の場所に粒状磁石体１１４を皮膚１５０に直接接触させることができるので、非常に便利である。しかしながら、粒状磁石体１１４が皮膚１５０に直接接触することにより、接触皮膚炎を起こす人（ユーザ）に使う場合、粒状磁石体１１４から溶出した成分（例えば、金属イオンなど）で皮膚炎を生じさせてしまうかもしれないという問題がある。つまり、貼付式磁気治療器１１００は、その構造が単純で安価に製造することができ、また任意の場所に貼ることができるので便利であるが、粒状磁石体１１４が直接皮膚に接触することによる問題がある。
【００１０】
特許文献３には、磁石と、磁石を覆うリング状の樹脂から構成された磁気治療器具が開示されている。このリング状の磁気治療器具の場合、ネックレス等として用いることで、首回りの血行促進の作用を発揮させることができる。また、この構成では、磁気治療器具を直接肌に接触させた場合でも、磁石と皮膚とが直接接触することを回避することができる。その結果、磁石が皮膚に与える影響を確実に抑制することができる。
【００１１】
しかしながら、特許文献３の磁気治療器具の場合、ネックレス等として首回り（または、手首周り）に使用することができるが、任意の場所にピンポイントで、磁石をくっつけることができないという問題がある。
【００１２】
特許文献４には、隣り合う永久磁石の身体に添わせる面の極性を互いに逆極性にした磁気治療具が開示されている。特許文献４に示した磁気治療具を図２１に示す。図２１に示した磁気治療具１２００は、身体に装着できる構成になっており、肩当て部１２０ａおよび背当て部１２０ｂからなる胴着部と、複数の永久磁石１２１とから構成されている。永久磁石１２１は、片面がＳ極、他面がＮ極の異方性のフェライト磁石からなり、隣り合う永久磁石１２１同士は、逆極性になるように交互に逆向きに配列させている。このようにすることにより、一つの永久磁石のＮ極から出た磁力線１２５が、当該一つの永久磁石１２１のＮ極だけでなく、これに隣接した永久磁石１２１のＳ極にも到達することになる。
これにより、磁気を身体に対して深く且つ広範囲に浸透させることができ、その結果、肩こりをさらに効果的に解消することができる。
【００１３】
特許文献４に示した磁気治療具１２００の場合、磁気を身体に対して深く且つ広範囲に浸透させることができるという優れた効果を得ることができるが、永久磁石１２１が皮膚に直接接触する場合には、磁石が皮膚に与える影響が生じてしまう。また、磁気治療具１２００は、身体の胴体に装着させることができるので、身体のかなり広い範囲をカバーすることができるが、身体の胴体に着るのが面倒で、ピンポイントで磁気を当てることを望むユーザも存在し得る。
【００１４】
また、図２２に示す磁気治療具１３００ように、隣り合う永久磁石１２１を、Ｓ極とＮ極の極性が反転するように長尺ベルト１２７に配置した構成をとることも可能である。この場合、身体の胴体に装着する面倒さはなく、また磁石が皮膚に与える影響を回避することができる。しかしながら、磁気治療具１３００の場合、首回りだけしか磁気の効果を得ることができない。特に、背中や腰まわりのコリなどに対応することができない。
【００１５】
本願発明者は、隣り合う永久磁石１２１をＳ極とＮ極の極性が反転するように配置する構成を用いて、任意の場所に永久磁石１２１を貼り付ける貼付式磁気治療器を検討したところ、次のような問題が生じることが新たにわかった。まず、図２０（ａ）に示したように、１枚の粘着性の支持層１１１の下面に、Ｓ極の永久磁石１２１とＮ極の永久磁石１２１とを並べて配置すると、そのままでは、二つの永久磁石１２１はＳ極・Ｎ極の力で引っ付いてしまう。したがって、下部剥離シート１１５から剥がした後は、粘着性の基層１１１をピンと張って（張力を加えて）、二つの永久磁石１２１がくっつかないようにしながら、皮膚１５０に貼り付けることが必要になる。
【００１６】
ユーザには、老人や手先が器用でない人も多く、ただでさえ、粘着性の支持層１１１を皮膚１５０に上手に貼れない人がいるのに、二つの永久磁石１２１が互いに引っ付くと、その二つの引っ付いた永久磁石１２１を剥がすのに苦労するとともに、粘着性の支持層１１１が二つ折りのような形でくっつく可能性・確率が格段に高まってしまう。すると、気軽に、任意の場所に貼りやすいというメリットが無くなってしまい、結局は、使いにくく商品力が低い貼付式磁気治療器ができるだけになってしまう。
【００１７】
そのような中、本願発明者は、任意の場所に貼り付けることができる磁気治療器でありながら、磁気を身体に対して深く且つ広範囲に浸透させることができるものを鋭意検討し、さらには、磁石が皮膚に与える影響にも考慮したものを開発し続けた。
【００１８】
本発明はかかる点に鑑みてなされたものであり、その主な目的は、任意の適切な身体の位置に配置することができ、配置した位置において比較的広範囲に磁気効果を及ぼすことが可能な磁気治療具を提供することにある。
【課題を解決するための手段】
【００１９】
本発明に係る磁気治療具は、複数の磁石を含む磁気治療具であり、第１極性を表面にし、第２極性を裏面にする第１磁石と、第２極性を表面にし、第１極性を裏面にする第２磁石と、前記第１磁石の前記表面および第２磁石の前記表面を覆うとともに、前記第１磁石および前記第２磁石を固定する樹脂部材とを備えている。前記樹脂部材において、前記第１磁石と前記第２磁石とは互いに離間して配置されており、前記樹脂部材、前記第１磁石の前記裏面、前記第２磁石の前記裏面は、テーピング部材の表面に配置されている。
【００２０】
ある好適な実施形態において、前記第１磁石は、前記第１極性がＳ極の永久磁石であり、前記第２磁石は、前記第２極性がＮ極の永久磁石であり、前記樹脂部材は、シリコーン樹脂から構成されており、前記テーピング部材は、接着剤によって、前記第１磁石および前記第２磁石を固定している前記樹脂部材と接着されており、前記テーピング部材の表面のうちの前記樹脂部材が位置している部分を除く領域には、粘着層が形成されており、前記粘着層の上には、剥離層が形成されている。
【００２１】
ある好適な実施形態において、前記第１磁石および前記第２磁石は、フェライト磁石であり、前記第１磁石と前記第２磁石とが離間している隙間距離は、２ｍｍ以上１０ｍｍ以下である。
【００２２】
ある好適な実施形態において、前記樹脂部材は、前記第１磁石および前記第２磁石を収容する凹部を有しており、前記凹部は、前記樹脂部材の裏面に形成されており、前記樹脂部材の表面は、皮膚に接する面であり、前記樹脂部材の表面のうち、前記第１磁石と前記第２磁石との間に位置する領域には陥没部が形成されている。
【００２３】
ある好適な実施形態において、前記樹脂部材には、前記第１磁石および前記第２磁石以外の第３磁石が収納されている。
【００２４】
ある好適な実施形態においては、前記テーピング部材の表面に、複数の前記樹脂部材が配置されている。
【００２５】
本発明の係る他の磁気治療具は、複数の磁石を含む磁気治療具であり、第１凹部および第２凹部を有する樹脂構造体と、前記第１凹部に収納され、第１極性を上面にし第２極性を下面にする第１磁石と、前記第２凹部に収納され、第２極性を上面にし第１極性を下面にする第２磁石とを備えている。第１凹部および第２凹部は、前記樹脂構造体の下面に開口を有しており、前記樹脂構造体の上面は、使用者の皮膚に接触する面である。
【００２６】
ある好適な実施形態において、前記第１凹部の開口および第２凹部の開口を含む前記樹脂構造体の下面は、シート部材によって覆われている。
【００２７】
ある好適な実施形態において、前記シート部材の上面のうち、前記樹脂構造体が位置する領域を除く領域は、粘着層であり、前記粘着層の上層には、剥離層が形成されている。
【００２８】
ある好適な実施形態において、前記シート部材の上面のうち、前記樹脂構造体が位置する領域には、前記シート部材と前記樹脂構造体を接着させる接着層が形成されている。
【００２９】
ある好適な実施形態において、前記シート部材は、伸縮性を有するサポーター部材である。
【００３０】
ある好適な実施形態において、前記樹脂構造体が行列状にシート部材の上に配列されている。
【００３１】
ある好適な実施形態において、前記樹脂構造体は、シリコーン樹脂から構成されており、前記第１磁石および前記第２磁石は、フェライト磁石であり、前記第１磁石と前記第２磁石とが離間している隙間距離は、２ｍｍ以上１０ｍｍ以下であり、前記樹脂構造体の上面のうち、前記第１磁石と前記第２磁石との間に位置する領域には陥没部が形成されている。
【００３２】
本発明に係る貼付方法は、複数の磁石を含む磁気治療具を皮膚に貼り付ける方法であり、Ｓ極を表面にした第１磁石と、Ｎ極を表面にした第２磁石とを覆う樹脂材料からなる樹脂構造体がシート部材上に配置された磁気治療具を用意する工程と、前記樹脂材料を介在させて、前記第１磁石の前記Ｓ極および前記第２磁石のＮ極を皮膚に接触させる工程と、前記シート部材を前記皮膚に接触させる工程とを含む。
【００３３】
ある好適な実施形態において、前記シート部材は、支持基層と粘着層と剥離層との積層構造を有しており、前記剥離層を剥がしてから、前記シート部材を前記皮膚に接触させる工程を実行し、それによって、前記樹脂材料を介在させて、前記第１磁石の前記Ｓ極および前記第２磁石のＮ極を皮膚に接触させた状態にする。
【００３４】
ある好適な実施形態において、前記第１磁石および前記第２磁石は、フェライト磁石であり、前記第１磁石と前記第２磁石とが離間している隙間距離は、２ｍｍ以上１０ｍｍ以下である。
【００３５】
本発明に係る磁気治療具の製造方法は、複数の磁石を含む磁気治療具を製造する方法であり、第１磁石となる第１磁性材料、および、第２磁石となる第２磁性材料を、樹脂構造体の凹部に配置する工程と、前記第１磁性材料および前記第２磁性材料の極性が互いに反対になるように着磁する工程とを含む。
【００３６】
ある好適な実施形態では、前記着磁工程の後、前記樹脂構造体をシート部材に固定する工程を実行する。
【００３７】
本発明に係る他の磁気治療具の製造方法は、基板の上に、Ｓ極を表面にした第１磁石と、Ｎ極を表面にした第２磁石を配置する工程と、前記第１磁石および第２磁石を覆うように、前記基板の上に樹脂材料を堆積する工程と、前記第１磁石および第２磁石がペアになるように前記樹脂材料を型抜きして、前記第１磁石および第２磁石を含む樹脂構造体を形成する工程とを含む。
【００３８】
ある好適な実施形態において、前記樹脂構造体は、シリコーン樹脂から構成されており、前記第１磁石および前記第２磁石は、フェライト磁石であり、前記第１磁石と前記第２磁石とが離間している隙間距離は、２ｍｍ以上１０ｍｍ以下である。
【発明の効果】
【００３９】
本発明の磁気治療具によれば、第１極性（例えばＳ極）を表面にした第１磁石と、第２極性（例えばＮ極）を表面にした第２磁石と、第１磁石及び第２磁石の表面を覆うとともに両者を互いに離間して固定する樹脂部材が、テーピング部材の表面に配置されているので、樹脂部材を介して、第１磁石及び第２磁石を使用者の皮膚に接触させることができる。したがって、第１磁石のＳ極と第２磁石のＮ極との組み合わせによって、単一の極（例えばＳ極のみ）の磁石の場合と比較して、磁気を身体に対して深く且つ広範囲に浸透させることができるとともに、その磁石ペアによる磁気の効果を、テーピング部材によって、任意の適切な身体の位置に配置することができる。さらに、樹脂部材（例えば、シリコーン樹脂）を介して、その磁石ペアの表面を皮膚に接触させることので、磁石が皮膚に直接接触する際に生じる影響（炎症など）を回避することができる。加えて、樹脂部材によって、第１磁石及び第２磁石を互いに離間して固定することができるので、第１磁石のＳ極と第２磁石のＮ極とが互いに引っ付いてしまうことを防止することができる。その結果、磁石が皮膚に直接接触する際に生じる影響（炎症など）を回避でき、任意の適切な身体の位置に配置することができるとともに、配置した位置において比較的広範囲に磁気効果を及ぼすことが可能な磁気治療具を実現することができる。
【図面の簡単な説明】
【００４０】
【図１】本発明の実施形態に係る磁気治療具１００の構成を示す斜視図である。
【図２】（ａ）から（ｃ）は、それぞれ、本発明の実施形態に係る樹脂構造体１０の構成を示す上面図、長手方向（横方向）に沿った断面図、縦方向に沿った断面図である。
【図３】（ａ）から（ｃ）は、それぞれ、図１に示した磁気治療具１００の構成を示す上面図、横方向（長手方向）に沿った断面図、縦方向に沿った断面図である。
【図４】本発明の実施形態に係る磁気治療具１００の構成を示す斜視図である。
【図５】（ａ）から（ｃ）は、それぞれ、図４に示した磁気治療具１００の構成を示す上面図、横方向（長手方向）に沿った断面図、縦方向に沿った断面図である。
【図６】本発明の実施形態に係る磁気治療具１００の構成を示す斜視図である。
【図７】（ａ）から（ｃ）は、それぞれ、図６に示した磁気治療具１００の構成を示す上面図、横方向（長手方向）に沿った断面図、縦方向に沿った断面図である。
【図８】（ａ）および（ｂ）は、磁気治療具１００を使用者（ユーザ）１０００に貼り付けた様子を示す図である。
【図９】本発明の実施形態に係る磁気治療具１００の製造工程の一部（着磁工程）を説明するための断面図である。
【図１０】（ａ）から（ｃ）は、本発明の実施形態に係る磁気治療具１００の製造工程の一例を説明するための工程断面図である。
【図１１】本発明の実施形態に係る磁気治療具１００の一例を示す平面図である。
【図１２】本発明の実施形態に係る磁気治療具１００の一例を示す平面図である。
【図１３】本発明の実施形態に係る磁気治療具１００の一例を示す平面図である。
【図１４】（ａ）および（ｂ）は、磁気治療具１００を使用者（ユーザ）１０００に貼り付けた様子を示す図である。
【図１５】本発明の実施形態に係る樹脂構造体１０が行列状に配列されたシート配列タイプ製品９０を示す平面図である。
【図１６】本発明の実施形態に係る樹脂構造体１０の改変例を示す平面図である。
【図１７】表面Ｓ極の磁石９１と表面Ｎ極の磁石９２とが配列された構成による磁力線の効果を視覚的に説明するための模式図である。
【図１８】表面Ｓ極の磁石９１が複数配列された構成による磁力線の効果を視覚的に説明するための模式図である。
【図１９】従来の貼付式磁気治療器１１００を示す斜視図である。
【図２０】（ａ）および（ｂ）は、従来の貼付式磁気治療器の断面図である。
【図２１】従来の磁気治療器１２００を示す図である。
【図２２】従来の磁気治療器１３００を示す図である
【発明を実施するための形態】
【００４１】
本願出願人は、肩こり等の治療効果に優れる磁気治療具の開発を日々行っており、特に、隣り合う永久磁石の身体に添わせる面の極性を互いに逆極性にした磁気治療具の研究開発および製造販売に力を入れている。さらに説明すると、磁気治療具は、通常、製造工程の容易さや製造コストの関係から、一方の極（例えば、Ｓ極）だけを上にして他の面を皮膚に貼り付けるようにする。一方、それとは異なって、Ｓ極とＮ極が交互に配置するようにすると、同じ磁石（同じ寸法、同じ磁力の磁石）を用いて、磁力線の流れが変わることを本願出願人は着目し、開発を続けている。
【００４２】
図１７は、永久磁石９１、９２を、互いに離間させながら近接させて配置した様子を示している。ここでは、磁力線を視覚化するために砂鉄（９３ａ、９３ｂ）で、磁力線の様子を表現している。永久磁石９１はＳ極を上面として配置し、永久磁石９２はＮ極を上面として配置している。
【００４３】
図１７からわかるように、永久磁石９１および永久磁石９２は、それぞれ下方向に磁力線（９３ａ）を延ばすとともに、それに加えて、Ｓ極とＮ極との間に磁力線が流れることから、永久磁石９１と永久磁石９２との間を跨がる磁力線（９３ｂ）が発生する。このような交互に極性反転させた磁石配列（Ｓ極・Ｎ極・Ｓ極）により、磁気（磁力線９３ａ、９３ｂ）を身体に対して深く、且つ、広範囲に浸透させることができる。
【００４４】
一方、図１８に示すように、Ｎ極を上面にした永久磁石９１を配列させた場合は、それぞれの永久磁石９１から下方向に磁力線（９３ａ）が延びるだけで、隣接する永久磁石９１に磁力線は延びない。つまりは、磁力の効果は、単独の磁石９１の足し算だけに終わってしまう。そして、通常の磁気治療具は、図１８に示した効果を発揮する形で設計されている。
【００４５】
本願出願人が、図１７に示した磁力線の効果を得られるような貼付式磁気治療器の開発を行ったが、典型的な貼付式磁気治療器の場合、一枚のシール部材の中心に一個の永久磁石が固定されているだけであるので、それだけでは、図１７に示すような効果は得られない。また、典型的な貼付式磁気治療器の場合、製造工程の関係上、磁石の極は同じ向きで揃っているので、仮に、典型的な貼付式磁気治療器を近接して配置したとしても、図１８に示すような効果しか得られない。
【００４６】
さらに、一枚のシール部材に、２個の永久磁石を極性が反転するように配置した場合、シール部材は、実質的に紙のような強度であるので、２個の永久磁石がＳ極とＮ極で互いにくっついてしまい、うまく皮膚に貼ることが難しい。そのような中、鋭意検討して、人間の皮膚に悪影響が少ないシリコーン樹脂を用いて、２個の永久磁石を互いに極性を反転させて離間した形で固定させることで、図１７に示すような磁力線の効果を発揮するものを構築することができ、本発明に至った。
【００４７】
以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。ただし、図１から図３、又は、図４・図５などのように、各図において寸法関係を一致させているものもあり、その場合は、各図の寸法・位置関係から、六面図を導き出すことが可能である。
【００４８】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００４９】
図１は、本発明の実施形態に係る磁気治療具１００の構成を示す斜視図である。また、図２（ａ）から（ｃ）は、本実施形態の磁気治療具１００に含まれる樹脂構造体１０の構成を示す平面図、横断面図および縦断面図である。加えて、図３（ａ）から（ｃ）は、本実施形態の磁気治療具１００の構成を示した平面図、横断面図および縦断面図である。
【００５０】
本実施形態の磁気治療具１００は、複数の磁石（１１、１２）を含む磁気治療具１００である。磁気治療具１００に含まれている複数の磁石（第１磁石１１、第２磁石１２）は、互いに隣接している磁石の極性は反転して配列されている。本実施形態の構成では、第１磁石１１は、第１極性（例えば、Ｓ極）を表面にし、第２極性（例えば、Ｎ極）を裏面している。また、第２磁石１２は、第２極性（例えば、Ｎ極）を表面にし、第１極性（例えば、Ｓ極）を裏面にしている。第１磁石１１の表面および第２磁石１２の表面は、樹脂部材１５によって覆われており、そして、樹脂部材１５は、第１磁石１１および第２磁石１２を固定している。また、樹脂部材１５で覆われて固定された第１磁石１１および第２磁石１２は、互いに離間（Ｇ）して配置されている。さらに、樹脂部材１５、第１磁石１１の裏面、第２磁石１２の裏面は、テーピング部材２０の表面（２０ａ）に配置されている。
【００５１】
さらに説明すると、本実施形態の構成では、第１磁石１１は、第１極性がＳ極の永久磁石（例えば、異方性のフェライト磁石）であり、第２磁石１２は、第２極性がＮ極の永久磁石（例えば、異方性のフェライト磁石）である。この例では、図２（ａ）に示すように、第１磁石１１の表面（上面）がＳ極となっており、第２磁石１２の表面（上面）がＮ極となっている。本実施形態の構成では、樹脂部材１５は第１磁石１１および第２磁石１２を含めた形で、樹脂構造体１０を構築している。
【００５２】
図２（ａ）から（ｃ）に示すように、樹脂構造体１０には、第１凹部１６ａおよび第２凹部１６ｂが形成されている。第１凹部１６ａには、第１磁石１１が収納されている。また、第２凹部１６ｂには、第２磁石１２が収納されている。第１凹部１６ａおよび第２凹部１６ｂは、樹脂構造体１０の下面１０ｂに開口（１６ｃ）を有している。また、樹脂構造体１０の上面１０ａは、使用者の皮膚に接触する面となっている。
【００５３】
この例では、第１凹部１６ａに収納された第１磁石１１の裏面（下面）、および、第２凹部１６ｂに収納された第２磁石１２の裏面（下面）は、樹脂構造体１０の下面１０ｂに位置する開口（１６ｃ）から露出している。なお、第１磁石１１または第２磁石１２は、それぞれ、第１凹部１６ａの開口１６ｃまたは第１凹部１６ａの開口１６ｃから取り出し可能であるが、当該開口１６ｃを樹脂（又は他の材料）や接着剤で封入して埋めることも可能である。
【００５４】
樹脂部材１５から構成された樹脂構造体１０は、テーピング部材（シート部材）２０の上に配置されている。さらに説明すると、第１凹部１６ａの開口１６ｃおよび第２凹部１６ｂの開口１６ｃを含む樹脂構造体１０の下面１０ｂは、テーピング部材２０によって覆われている。本実施形態のテーピング部材２０は、支持基層と粘着層と剥離層とが積層された構造を有するシート部材（シート状又はフィルム状の部材）である。テーピング部材２０の厚さは、例えば、０．３ｍｍ〜１．０ｍｍ（典型的には０．５ｍｍ）である。
【００５５】
本実施形態のテーピング部材２０の上面２０ａは、剥離層が位置している。剥離層を取ると、粘着層付きの支持基層が露出する。この例において、剥離層は、例えば、剥離紙であり、粘着層は、例えばアクリル系樹脂の粘着剤から構成されている。支持基層は、シート形状を保持できるような材料から構成されていればよく、支持基層を構成する材料としては、例えば、ウレタン不織布、塩化ビニル、伸縮性綿布、ウレタンフィルム、オレフィンフィルムなどを用いることができる。テーピング部材２０は、典型的には、粘着層が形成された支持基層と、剥離層との組み合わせたロール状の製品から作製することができる。なお、粘着層は、皮膚にできるだけ悪影響を与えない成分のものであることが好ましい。
【００５６】
本実施形態の樹脂構造体１０（樹脂部材１５）は、接着剤によってテーピング部材２０に固定されている。具体的には、テーピング部材２０の表面のうちの樹脂構造体１０が位置している部分を除く領域には、粘着層が形成されており、そして、その粘着層の上に剥離層を配置することができる。テーピング部材２０の表面のうち、樹脂構造体１０が位置する領域には、接着層（接着剤が付与された層）が形成されており、その接着層によって樹脂構造体１０とテーピング部材２０の両者が固定されている。テーピング部材２０を構成する支持基層の上に接着層を形成して、樹脂構造体１０（樹脂部材１５）と固定してすることができる。あるいは、接着強度を確保できるのであれば、テーピング部材２０のうちの粘着層の上に、接着層を形成して、その接着層で樹脂構造体１０と固定してもよい。なお、図３（ｂ）において、樹脂構造体１０の下に位置する層、または、テーピング部材２０と樹脂構造体１０の間に位置する層を、接着層２１として表している。接着層２１は、例えば、両面テープ、または、接着剤による固着層である。
【００５７】
本実施形態の樹脂構造体１０を構成している材料（樹脂部材１５）は、シリコーン樹脂である。シリコーン樹脂は、人の皮膚に影響を与え難いので、他の材料（特に、人の皮膚に刺激を与えてしまう材料）と比較して好ましい。なお、樹脂構造体１０を構成している材料としては、シリコーン樹脂の他、ウレタン樹脂、あるいは、エラストマー特性を示すエラストマー樹脂（例えば、シリコーンゴム、ウレタンゴム、フッ素ゴム）を使用してもよい。磁気治療具１００の製造コストは上がるが、樹脂構造体１０の上面１０ａに、人の皮膚に影響を与え難い材料（例えば、シリコーン樹脂、または、生体適合性材料など）をコーティングできるのであれば、樹脂構造体１０を構成する材料の選択の幅はひろがる。樹脂構造体１０を構成する材料がシリコーン樹脂の場合、テーピング部材２０に固定する接着手段としては、両面テープ（例えば、シリコーン接着剤／アクリル系接着剤の両面テープ、または、シリコーン粘着剤／アクリル系粘着剤の粘着系の両面テープ）、または、両者を接合可能な接着剤などを用いることができる。
【００５８】
本実施形態の第１磁石１１および第２磁石１２は、樹脂構造体１０内において離間して配置されている。図２（ｂ）に示すように、第１磁石１１および第２磁石１２の離間している距離（Ｇ）は、第１磁石１１と第２磁石１２における互いに対向する面の境界線の間の距離（隙間距離、または空間距離）である。なお、第１磁石１１および第２磁石１２の間の距離（隙間距離）Ｇがゼロになると、第１磁石１１と第２磁石１２とが一体となり１個の磁石となってしまう。つまり、図１７に示したような広範囲の磁気の効果を得ることができず、１つの磁石になることで、図１８に示したような狭い範囲の磁気の効果になってしまう。
【００５９】
本実施形態の第１磁石１１、第２磁石は、永久磁石であることが好ましい。また、磁力線の流れの設計をしやすくするために、同種の磁石（例えば、フェライト磁石）、特に、同種で、同一寸法で、同一磁力（例えば、同一の磁束密度）を用いることが製造プロセスや大量購入・大量生産の点でも好ましい。本実施形態の第１磁石１１、第２磁石１２は、フェライト磁石であり、フェライト磁石は、鉄酸化物粉末を主原料にした磁石であり、焼結磁石のため耐腐性・耐酸化性にも優れているという特長がある。また、フェライト磁石は、磁気保持力が高いので減磁しにくく、安定しており、規格品やロットがまとまった場合に最も安価な磁石ということで、性質の安定性、および、コスト面で有利である。
【００６０】
本実施形態の第１磁石１１、第２磁石は、例えば、７０ミリテスラ（磁束密度：ｍＴ）から２００ミリテスラ（ｍＴ）のものを使用することができる。一例では、第１磁石１１、第２磁石は、フェライト磁石で、１００ｍＴ（１０００ガウス）、または、１３０ｍＴである。あるいは、第１磁石１１、第２磁石として、８０ｍＴ、１５０ｍＴなどのものを使用することができる。加えて、第１磁石１１、第２磁石は、希土類永久磁石（例えば、ネオジム磁石、または、サマコバ磁石）を使用することができる。希土類永久磁石（例えば、ネオジム磁石）の第１磁石１１、第２磁石１２でも、例えば、７０ミリテスラ（磁束密度：ｍＴ）から２００ミリテスラ（ｍＴ）のものを使用することができるが、フェライト磁石よりも、その上限を挙げることができる（例えば、５００ｍＴのネオジム磁石）。
【００６１】
第１磁石１１と第２磁石との間の距離（隙間距離）Ｇは、例えば、２ｍｍ以上１０ｍｍ以下にすることができる。ただし、隙間距離Ｇは、使用する磁石の強さ（例えば、磁束密度（ｍＴ））によって変化し得るので、性能にあわせて適宜好適な距離Ｇを選択すればよい。図１に示した例の構成では、隙間距離Ｇは２．５ｍｍである。なお、隙間距離Ｇと、第１磁石１１および第２磁石１２の磁石の強さ（磁束密度）についての関係について、本願発明者は検討したので、それを以下に示す。
【００６２】
隙間距離Ｇがどのくらい離れると、磁石間の磁気ブリッジ効果（図１７中の「９３ｂ」）が無くなるかについて簡単に判定することは実は難しい。それは、図１７に示すように、Ｓ極とＮ極とに反転させた磁石９１・９２との間の磁力線は、皮膚の深さ方向に潜るために、皮膚表面での数字（磁束密度）としては現れにくいからである。ただし、皮膚表面（平面上）での数字（磁束密度）としては現れにくいとはいえ、何らかの参考になるということで、隙間距離Ｇを変化させて、その中間点（Ｇが４ｍｍであれば、その真ん中の点（磁石の境界から２ｍｍの点））での、平面上の磁束密度を測定した。ここでの「平面上」とは、第１磁石１１と第２磁石が配置されている同一平面（基準面の平面）の上ということである。
【００６３】
まず、第１磁石１１および第２磁石１２の磁束密度がそれぞれ１００ｍＴの実験結果について説明する。隙間距離Ｇが２．５ｍｍのときは８ｍＴ、３ｍｍのときは４．５ｍＴ、４ｍｍのときは３ｍＴ、５ｍｍのときは１．８ｍＴ、６ｍｍのときは０．１８ｍＴ、７ｍｍのときは０．１４ｍＴ、８ｍｍのときは０．１０ｍＴ、１０ｍｍのときは０．０５ｍＴである。隙間距離Ｇが１０ｍｍのときも、平面上で０．０５ｍＴの値を示しているので、第１磁石１１および第２磁石１２の間の磁気ブリッジ効果が発生しているものと推測される。なお、２．０ｍｍのとき、又は、１．５ｍｍのときは、磁気ブリッジ効果は確認されると推測されるが、０．５ｍｍまたはそれ以下になると、第１磁石１１と第２磁石１２とが一体になる効果の方が強調されてしまう可能性が高くなることが推測される。
【００６４】
次に、第１磁石１１および第２磁石１２の磁束密度がそれぞれ１３０ｍＴの実験結果について説明する。隙間距離Ｇが２．５ｍｍのときは８．７ｍＴ、３ｍｍのときは４．５ｍＴ、４ｍｍのときは２．３ｍＴ、５ｍｍのときは２．３ｍＴ、６ｍｍのときは１．１ｍＴ、７ｍｍのときは０．８ｍＴ、８ｍｍのときは０．４ｍＴ、１０ｍｍのときは０．１３ｍＴである。隙間距離Ｇが１０ｍｍのときも、平面上で０．１３ｍＴの値を示しているので、第１磁石１１および第２磁石１２の間の磁気ブリッジ効果が発生しているものと推測される。なお、磁束密度が１３０ｍＴの磁石（１１、１２）の場合も、２．０ｍｍのとき、又は、１．５ｍｍのときは、磁気ブリッジ効果は確認されると推測されるが、０．５ｍｍまたはそれ以下になると、第１磁石１１と第２磁石１２とが一体になる効果の方が強調されてしまう可能性が高くなることが推測される。
【００６５】
本実施形態の第１磁石１１および第２磁石１２は、円柱形状を有している。第１磁石１１（または第２磁石１２）の直径は、例えば３ｍｍ〜１０ｍｍであり、典型的には５ｍｍである。また、第１磁石１１（または第２磁石１２）の高さ（厚さ）は、例えば、０．５ｍｍ〜５ｍｍであり、典型的には１ｍｍである。また、第１磁石１１（または第２磁石１２）の形状は、円柱形状でなく、他の形状であっても構わない。例えば、立方体、直方体、球形、ラグビーボール形状などである。円柱形状、直方体形状などの場合、その角は丸くしたり、角の部分がテーパー状になっているものであってもよい。加えて、球形、ラグビーボール形状、又は、変形の球形のように曲面上になっている場合は、Ｓ極、Ｎ極を示す面（表面・裏面、又は、上面・下面）は、北半球、南半球のようにエリアを分けることで、規定することが可能である。なお、第１磁石１１および第２磁石１２の寸法や形状などは、磁石の磁力（磁束密度など）、永久磁石の種類（フェライト磁石、ネオジム磁石など）によって適宜好適なものに変えることができる。したがって、上述した数字に限定されるものではない。
【００６６】
本実施形態の樹脂構造体１０は、第１磁石１１および第２磁石１２を収納する構造を有している。したがって、樹脂構造体１０に形成された第１凹部１６ａおよび第２凹部１６ｂは、第１磁石１１および第２磁石１２に対応した形状および寸法を有している。また、樹脂構造体１０は、第１磁石１１および第２磁石１２の互いの反対の極がくっついて一体になってしまわない程度の硬度を有している。樹脂構造体１０の硬度は、例えば、１０度〜３０度（典型的に２０度、または、１５度〜２５度）である。樹脂構造体１０（シリコーン樹脂製の樹脂構造体）が１０度近傍または１０度を下回る場合は、当該樹脂が相対的に柔らかすぎる傾向がある。また、樹脂構造体１０（シリコーン樹脂製の樹脂構造体）が３０度近傍または３０度を上回る場合は、当該樹脂が皮膚に接触させ続けたときに相対的に硬すぎる傾向がある。なお、樹脂構造体１０の構造によっては、硬度が１０度近傍（またはそれ以下）の場合でも適切に使用できる場合があるし、硬度が３０度近傍（またはそれ以上）の場合でも適切に使用できる場合がある。
【００６７】
図２に示した例の樹脂構造体１０は、球形（変形した球形を含む）の一部（最上部周辺）が切断された形状のものが二つ連結されたような形状を有している。樹脂構造体１０の上面１０ａは、上に凸の曲面を有しており、第１磁石１１および第２磁石１２に対応する位置を頂点として、皮膚に接触するような構造となっている。また、樹脂構造体１０の上面１０ａのうちの第１磁石１１および第２磁石１２の境界に位置する部位は、陥没部（または凹部）１７となっている。このような陥没部（または凹部）１７を形成することで、デザイン性を良くすることができるとともに、樹脂構造体１０に使用する樹脂の量を減らすことが可能となる。本実施形態の樹脂構造体１０の形状（構造）では、第１磁石１１および第２磁石１２のそれぞれを樹脂が覆うような構造上または形状上の特徴を有しているので、磁石の硬さが樹脂（シリコーン樹脂またはエラストマー樹脂）の柔らかさで覆われて肌に接した時に心地良いという効果を得ることができる。
【００６８】
本実施形態の樹脂構造体１０（磁気治療具１００）では、第１磁石１１および第２磁石１２の上面（表面）と、使用者（ユーザ）の皮膚の間に、樹脂部材（例えば、シリコーン樹脂）１５が介在する。したがって、第１磁石１１および第２磁石１２が直接肌に触れることがないので、使用者の接触性皮膚炎（例えば、金属イオンアレルギー）の問題を回避することができる。第１磁石１１（又は第２磁石１２）の上に位置する樹脂部材１５の厚さは、例えば０．５ｍｍ〜５ｍｍ（典型的には１ｍｍ）である。樹脂部材１５の厚さがあまりに厚すぎると、第１磁石１１および第２磁石１２の磁気効果が弱まってしまうため、適度な厚さにしておくことが望ましい。なお、第１磁石１１および第２磁石１２の表面を樹脂部材１５が覆えばよいので、樹脂部材１５の厚さが薄くても問題はないが、あまりに薄すぎて、第１磁石１１および第２磁石１２が樹脂部材１５を破ってしまうことがないようにすることが望ましい。
【００６９】
本実施形態の樹脂構造体１０の寸法は、第１磁石１１および第２磁石１２の形状又は寸法によって決定されるので、適宜好適なものを採用すればよい。一例を挙げると、図２に示した例においては、樹脂構造体１０の長さ（縦長さ）Ｌは、例えば１０〜３０ｍｍ（典型的には１８ｍｍ）である。また、樹脂構造体１０の幅（横長さ）Ｗは、例えば５ｍｍ〜２０ｍｍ（典型的には１０ｍｍ）である。さらに、樹脂構造体１０の高さＴは、例えば１ｍｍ〜５ｍｍ（典型的には２ｍｍ）である。
【００７０】
なお、樹脂構造体１０の形状は、図２に示したようなものに限らず、上面から見て矩形（または正方形）のようなものでも構わない。図２に示した陥没部１７を形成してもよいし、形成しなくてもよい。また、樹脂構造体１０の形状は、上面から見て、楕円形形状、長円形状、直線と円弧からなるトラック形状、円形形状、多角形形状（例えば、六角形、八角形など）のようなものでもよい。樹脂構造体１０の上面から見た形状は、基本的に、対称形が好ましいが、非対称の形状（例えば、台形）にしたり、樹脂構造体１０の形状を、星、花、動物、キャラクター（アニメやマンガの主人公・登場人物など）の形状にしても構わない。
【００７１】
図３（ａ）から（ｃ）は、それぞれ、図１に示した磁気治療具１００の上面、縦側面から見た断面、横側面から見た断面を示している。図３に示した磁気治療具１００は、図２に示した樹脂構造体１０をテーピング部材（シート部材）２０の中心部に接合した構造となっている。
【００７２】
本実施形態のテーピング部材２０の形状または寸法は、樹脂構造体１０の構造（形状又は寸法など）によって決定されるので、適宜好適なものを採用することができる。一例を挙げると、図３に示した例においては、テーピング部材２０の長さ（縦長さ）Ｌ２は、例えば１５ｍｍ〜５０ｍｍ（典型的には３０〜３５ｍｍ）である。また、樹脂構造体１０の幅（横長さ）Ｗ２は、例えば１０ｍｍ〜５０ｍｍ（典型的には２０ｍｍ）である。
【００７３】
なお、テーピング部材２０の形状は、図３（ａ）に示したような、直線と円弧からなるトラック形状に限らず、上面から見て矩形（または正方形）のようなものでも構わない。なお、肌に付けるテーピング部材の特性上、テーピング部材の角は丸く（アールに）なっていることが好ましい。また、テーピング部材２０の形状は、上面から見て、楕円形形状、長円形状、円形形状、多角形形状（例えば、六角形、八角形など）のようなものでもよい。テーピング部材２０の上面から見た形状は、基本的に、対称形の形状が好ましいが、非対称の形状（例えば、台形）にしたり、テーピング部材２０の形状を、星、花、動物、キャラクター（アニメやマンガの主人公・登場人物など）の形状にしても構わない。
【００７４】
本実施形態の磁気治療具１００は、図４および図５に示すように改変することができる。図４に示した磁気治療具１００は、図１に示した磁気治療具１００と比較して、テーピング部材２０の長さＬ３が長いものである。図４に示したテーピング部材２０の長さ（縦長さ）Ｌ３は、例えば２０ｍｍ〜１２００ｍｍ（典型的には４０〜６０ｍｍ）である。また、樹脂構造体１０の幅（横長さ）Ｗ３は、例えば１０ｍｍ〜５０ｍｍ（典型的には２０ｍｍ）である。図４に示した構成は、テーピング部材２０の長さ（Ｌ３）が長いので、使用者（ユーザー）の身体のうちの比較的長い筋肉や腱などの部位をテーピングして、磁気治療するのに適しているおり、また、粘着面積が大きいので取れにくいという利点がある。
【００７５】
さらに、本実施形態の磁気治療具１００は、図６および図７に示すように改変することができる。上述した実施形態の磁気治療具１００においては、テーピング部材２０の上に、樹脂構造体１０を１個だけ配置したが、図６に示した磁気治療具１００では、樹脂構造体１０は、１つのテーピング部材２０の上に複数（ここでは、２個）の配置されている。具体的には、テーピング部材２０の上面における右側に樹脂構造体１０Ａが形成され、左側に樹脂構造体１０Ｂが形成されている。このような構成にすれば、１つの磁気治療具１００（１枚のテーピング部材２０）で、複数箇所の磁気治療を実行することが可能となる。
【００７６】
そして、本実施形態の磁気治療具１００は、図８（ａ）及び（ｂ）に示したように、使用者１０００の身体の前面側・背面側の任意箇所に貼り付けることができ、したがって、使用者１０００の望む場所を磁気治療することができ、その結果、コリなどを取ることができる。ここでは、樹脂構造体１０の上面（表面）１０ａが皮膚に接触し、テーピング部材２０の上面２０ａに位置する粘着層が、第１磁石１１及び第２磁石１２を包摂する樹脂構造体１０を皮膚に固定することができる。なお、上面および下面の意味については、図１から図３に示したものを基準にしているので、鉛直方向の下側や水平方向に沿って「上面」が位置することがある。
【００７７】
本実施形態の磁気治療具１００は、Ｓ極を表面（上面）にした第１磁石１１と、Ｎ極を表面（上面）にした第２磁石とを備えており、そして、第１磁石１１及び第２磁石１２の表面を覆うとともに両者（１１、１２）を互いに離間（Ｇ）して固定する樹脂部材１５（または樹脂構造体１０）が、テーピング部材２０の表面（２０ａ）に配置されている。したがって、樹脂部材（例えば、シリコーン樹脂製の部材）１５を介して、第１磁石１１及び第２磁石１２を使用者１０００の皮膚に接触させることができる。
【００７８】
この構成によれば、図１７に示すように、第１磁石（１１、９１）のＳ極（裏面はＮ極）と、第２磁石（１２、９２）のＮ極（裏面はＳ極）との組み合わせによって、単一の極（例えば、図１８の表面Ｓ極のみ）の磁石の場合と比較して、磁気を身体に対して深く且つ広範囲に浸透させることができる。そして、その磁石ペア（１１、１２）による磁気の効果を、テーピング部材２０によって、図８（ａ）および（ｂ）に示すように、任意の適切な身体の位置に配置することができる。
【００７９】
さらに、樹脂部材（例えば、シリコーン樹脂）１５を介して、その磁石ペア（１１、１２）の表面を皮膚に接触させるので、すなわち、磁石ペア（１１、１２）を間接的に皮膚に接触させるので、磁石（１１、１２）が皮膚に直接接触する際に生じる影響（炎症など）を回避することができる。加えて、樹脂部材１５によって、第１磁石１１及び第２磁石１２を互いに離間（Ｇ）して固定することができるので、第１磁石１１のＳ極（又はＮ極）と第２磁石１２のＮ極（又はＳ極）とが互いに引っ付いてしまうことを防止することができる。
【００８０】
したがって、本実施形態の磁気治療具１００によれば、磁石が皮膚に直接接触する際に生じる影響（炎症など）を回避でき、任意の適切な身体の位置に配置することができるとともに、配置した位置において比較的広範囲に磁気効果を及ぼすことができる。
【００８１】
次に、図９を参照しながら、本実施形態の磁気治療具１００の製造方法について説明する。図９は、磁気治療具１００（樹脂構造体１０）の製造工程（着磁工程）を説明するための工程断面図である。
【００８２】
本実施形態の磁気治療具１００は、隣り合う磁石（１１、１２）同士が逆極性になるように交互に逆向きに配列させるために、上面が一律にＳ極（又はＮ極）として配列される場合と比較して、製造工程が煩雑となる。すなわち、すべての磁石のＳ極とＮ極の位置を規定して、その位置を把握した状態で、樹脂構造体１０の凹部（１６a、１６ｂ）に挿入する必要がある。
【００８３】
一方で、そのような手法ではなく、図９に示すように行うことが可能である。図９に示した構造は、着磁前の第１磁性材料（例えば、円柱形状の粒状）１１ａ、第２磁性材料（例えば、円柱形状の粒状）１１ｂを、樹脂構造体１０Ｘの凹部（１６a、１６ｂ）に充填する。第１磁性材料１１ａおよび第２磁性材料１１ｂは、着磁前であるので、まだ極性はなく、それゆえに、樹脂構造体１０Ｘの凹部（１６a、１６ｂ）に一律に充填することができる。そのような状態で、着磁装置（３０Ａ、３０Ｂ）を用いて、樹脂構造体１０Ｘの凹部（１６a、１６ｂ）内の第１磁性材料１１ａ、第２磁性材料１１ｂを着磁して、隣り合う磁石（１１、１２）同士が逆極性になるようにすることができる。
【００８４】
このように、第１磁石１１及び第２磁石１２が充填された樹脂構造体１０を製造した後、テーピング部材２０に固定したら、本実施形態の磁気治療具１００を得ることができる。
【００８５】
さらには、図１０（ａ）から（ｃ）に示すようにして、樹脂構造体１０を製造することができる。図１０（ａ）から（ｃ）は、樹脂構造体１０を製造する工程を示す工程断面図である。
【００８６】
まず、図１０（ａ）に示すように、第１磁石１１、第２磁石１２を基板３５の上に配列させる。すなわち、隣り合う磁石（１１、１２）同士が逆極性になるように交互に逆向きに基板３５上に配列させる。
【００８７】
次に、図１０（ｂ）に示すように、第１磁石１１、第２磁石１２を覆うように、樹脂材料（例えばシリコーン樹脂）１６を基板３５の上に堆積させる。この樹脂材料の堆積工程は、製造したい樹脂構造体１０の形状や寸法にあわせて実行する。
【００８８】
その後、図１０（ｃ）に示すように、樹脂構造体１０の構造を規定する型（不図示）を用いて、図１０（ｂ）に示した堆積体（１１、１２、１６）から、樹脂構造体１０を切り出して（型抜きして）、本実施形態の樹脂構造体１０を得る。
【００８９】
図１０（ａ）から（ｃ）に示した製造工程によっても、樹脂構造体１０の凹部１６ａ、１６ｂに、第１磁石１１、第２磁石１２の位置を合わせながら充填すること工程を省略することができる。得られた樹脂構造体１０は、テーピング部材２０に接着して固定することで、本実施形態の磁気治療具１００にすることができる。
【００９０】
また、本実施形態の磁気治療具１００は、図１１から図１３に示した構造に改変することも可能である。
【００９１】
図１１に示した磁気治療具１００Ｂは、４つ葉マーク型のテーピング部材２０Ｂを備えている。そして、テーピング部材２０Ｂにおける４つ葉マーク部位のそれぞれに、樹脂構造体１０が配置されている。
【００９２】
図１２に示した磁気治療具１００Ｃは、中心中央部に開口部２３が形成されたテーピング部材２０Ｃを備えている。テーピング部材２０Ｃは、複数（ここでは、奇数、又は、３つ）の頂点部位を有しており、それぞれの頂点部位に、樹脂構造体１０が配置されている。
【００９３】
図１３に示した磁気治療具１００Ｄは、十字型のテーピング部材２０Ｄを備えている。テーピング部材２０Ｄの中心中央部には開口部２３が形成されている。そして、十字型のテーピング部材２０Ｄの上・下・右・左において、樹脂構造体１０が配置されている。
【００９４】
図１１から図１３に示した磁気治療具１００Ｂ、１００Ｃ、１００Ｄは、図１４（ａ）及び（ｂ）に示したように、使用者１０００の身体の前面側・背面側の任意箇所に貼り付けることができる。特に、肘、膝、肩などの良く動く箇所に、好適に貼り付けることができ、そして、使用者１０００の望む場所を磁気治療することができる。
【００９５】
さらに、本実施形態の磁気治療具１００では、粘着性のテーピング部材（シート部材）２０に限らず、伸縮性を有するサポーター部材（シート部材２０）の表面または内部に磁気治療具１０を配置しても構わない。そのようなサポーター部材としては、弾力性／伸縮性のある円筒形状のもの（例えば、膝や肘を覆うスポーツ用サポータ）を挙げることができ、内面に粘着性を必要としていないものが典型的であるが、内面に粘着性を持たせてもよい。そのようなサポーター部材の材料としては、例えば、ナイロン、ポリウレタンのようなものを用いることができる。
【００９６】
上述した実施形態では、樹脂構造体１０をテーピング部材２０に固定して磁気治療具１００の形態にしていたが、それだけに限らず、樹脂構造体１０単体だけでも利用価値は大きい。例えば、図１５は、樹脂構造体１０をシート基材（シート部材）２５の上にマトリックス状（行列状）に配列したシート配列タイプ製品９０である。
【００９７】
図１５に示したシート配列タイプ製品９０では、シート基材２５の下面は、粘着層付きの支持基板になっており、樹脂構造体１０の下面は、その粘着層に粘着される状態になっている。シート基材２５の上面のうち、樹脂構造体１０以外のところは、表面層または剥離層（離型テープ部材）が載っている。樹脂構造体１０の外枠境界１５ａのところを輪郭として、シート基材２５の粘着層から、樹脂構造体１０を取り外すことができる。
【００９８】
図１５に示したシート配列タイプ製品９０の場合、その状態で、大量の樹脂構造体１０を搬送することができるので便利である。そして、この樹脂構造体１０をテーピング部材（シート部材）２０に固定さえすれば、所望の場所・時期に、磁気治療具１００を製造することが可能である。特に、所望形態のテーピング部材２０（２０Ｂ〜２０Ｄ）を、樹脂構造体１０を組み合わせて用いたい場合に便利である。また、樹脂構造体１０のスペア販売の目的で、シート配列タイプ製品９０の形態で薬局などに卸したり、薬局などで販売することもできる。
【００９９】
なお、上述した実施形態では、樹脂構造体１０に二つの磁石（１１、１２）を含めていたが、それに限るものではない。例えば、図１６に示すように、３つの磁石（１１ａ、１２、１１ｂ）を配列させて、樹脂構造体１０を構築してもよい。図１６では３つの磁石を直線的に配列させたが、４つ以上の磁石を配列させてもよいし、また、隣接する磁石の極が反転する配列形態で二次元的に（例えば、市松模様）樹脂構造体１０の中に複数の磁石を配列されてもよい。
【０１００】
以上、本発明を好適な実施形態により説明してきたが、こうした記述は限定事項ではなく、勿論、種々の改変が可能である。上述した実施形態または改変例の構成または手法は相互に適用可能である。例えば、図１６に示した樹脂構造体１０を、図１５に示したシート基材２５に配列させることも可能である。
【産業上の利用可能性】
【０１０１】
本発明によれば、任意の適切な身体の位置に配置することができ、配置した位置において比較的広範囲に磁気効果を及ぼすことが可能な磁気治療具を提供することができる。
【符号の説明】
【０１０２】
１０   樹脂構造体
１０ａ 樹脂構造体の上面
１０ｂ 樹脂構造体の下面
１１   第１磁石
１２   第２磁石
１５   樹脂部材
１６ａ、１６ｂ  樹脂構造体の凹部
１６ｃ 凹部の開口
１７   陥没部
２０   テーピング部材
２１   接着層
２３   テーピング部材の開口部
２５   シート基材（シート部材）
３５   基板
９０   シート配列タイプ製品
９１、９２    磁石
９３ａ、９３ｂ  磁力線
１００ 磁気治療具
１０００      使用者
１１００      貼付式磁気治療器
１２００、１３００   磁気治療具
【図１】
2017023286.tif 000003
【図２】
2017023286.tif 000004
【図３】
2017023286.tif 000005
【図４】
2017023286.tif 000006
【図５】
2017023286.tif 000007
【図６】
2017023286.tif 000008
【図７】
2017023286.tif 000009
【図８】
2017023286.tif 000010
【図９】
2017023286.tif 000011
【図１０】
2017023286.tif 000012
【図１１】
2017023286.tif 000013
【図１２】
2017023286.tif 000014
【図１３】
2017023286.tif 000015
【図１４】
2017023286.tif 000016
【図１５】
2017023286.tif 000017
【図１６】
2017023286.tif 000018
【図１７】
2017023286.tif 000019
【図１８】
2017023286.tif 000020
【図１９】
2017023286.tif 000021
【図２０】
2017023286.tif 000022
【図２１】
2017023286.tif 000023
【図２２】
2017023286.tif 000024
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
複数の磁石を含む磁気治療具であって、
第１極性を表面にし、第２極性を裏面にする第１磁石と、
第２極性を表面にし、第１極性を裏面にする第２磁石と、
前記第１磁石の前記表面および第２磁石の前記表面を覆うとともに、前記第１磁石および前記第２磁石を固定する樹脂部材と
を備え、
前記樹脂部材において、前記第１磁石と前記第２磁石とは互いに離間して配置されており、
前記樹脂部材、前記第１磁石の前記裏面、前記第２磁石の前記裏面は、テーピング部材の表面に配置されている、磁気治療具。
【請求項２】
前記第１磁石は、前記第１極性がＳ極の永久磁石であり、
前記第２磁石は、前記第２極性がＮ極の永久磁石であり、
前記樹脂部材は、シリコーン樹脂から構成されており、
前記テーピング部材は、接着剤によって、前記第１磁石および前記第２磁石を固定している前記樹脂部材と接着されており、
前記テーピング部材の表面のうちの前記樹脂部材が位置している部分を除く領域には、粘着層が形成されており、
前記粘着層の上には、剥離層が形成されている、請求項１に記載の磁気治療具。
【請求項３】
前記第１磁石および前記第２磁石は、フェライト磁石であり、
前記第１磁石と前記第２磁石とが離間している隙間距離は、２ｍｍ以上１０ｍｍ以下である、請求項１または２に記載の磁気治療具。
【請求項４】
前記樹脂部材は、前記第１磁石および前記第２磁石を収容する凹部を有しており、
前記凹部は、前記樹脂部材の裏面に形成されており、
前記樹脂部材の表面は、皮膚に接する面であり、
前記樹脂部材の表面のうち、前記第１磁石と前記第２磁石との間に位置する領域には陥没部が形成されている、請求項１から３の何れか一つに記載の磁気治療具。
【請求項５】
前記樹脂部材には、前記第１磁石および前記第２磁石以外の第３磁石が収納されている、請求項１から４の何れか一つに記載の磁気治療具。
【請求項６】
前記テーピング部材の表面に、複数の前記樹脂部材が配置されている、請求項１から５の何れか一つに記載の磁気治療具。
【請求項７】
複数の磁石を含む磁気治療具であって、
第１凹部および第２凹部を有する樹脂構造体と、
前記第１凹部に収納され、第１極性を上面にし第２極性を下面にする第１磁石と、
前記第２凹部に収納され、第２極性を上面にし第１極性を下面にする第２磁石と
を備え、
第１凹部および第２凹部は、前記樹脂構造体の下面に開口を有しており、
前記樹脂構造体の上面は、使用者の皮膚に接触する面である、磁気治療具。
【請求項８】
前記第１凹部の開口および第２凹部の開口を含む前記樹脂構造体の下面は、シート部材によって覆われている、請求項７に記載の磁気治療具。
【請求項９】
前記シート部材の上面のうち、前記樹脂構造体が位置する領域を除く領域は、粘着層であり、
前記粘着層の上層には、剥離層が形成されている、請求項８に記載の磁気治療具。
【請求項１０】
前記シート部材の上面のうち、前記樹脂構造体が位置する領域には、前記シート部材と前記樹脂構造体を接着させる接着層が形成されている、請求項９に記載の磁気治療具。
【請求項１１】
前記シート部材は、伸縮性を有するサポーター部材である、請求項７または８に記載の磁気治療具。
【請求項１２】
前記樹脂構造体が行列状にシート部材の上に配列されている、請求項７に記載の磁気治療具。
【請求項１３】
前記樹脂構造体は、シリコーン樹脂から構成されており、
前記第１磁石および前記第２磁石は、フェライト磁石であり、
前記第１磁石と前記第２磁石とが離間している隙間距離は、２ｍｍ以上１０ｍｍ以下であり、
前記樹脂構造体の上面のうち、前記第１磁石と前記第２磁石との間に位置する領域には陥没部が形成されている、請求項７から１２の何れか一つに記載の磁気治療具。
【手続補正２】
【補正対象書類名】明細書
【補正対象項目名】０００３
【補正方法】変更
【補正の内容】
【０００３】
血液成分の中には、プラスイオンとマイナスイオンに電離するものが含まれており、これが血液中を流れるので、電流が流れるのと等しい状態となっている。ここに磁石によって磁場を加えると、「フレミングの左手の法則」により力が発生する。この力がイオンの流れを活発にし、血液の流れを良くするものと考えられる。
【手続補正３】
【補正対象書類名】明細書
【補正対象項目名】０００５
【補正方法】変更
【補正の内容】
【０００５】
代表的なものとして、貼付式磁気治療器がある。人体のつぼに磁石をあて、これを粘着剤の付いたシートで上から被せて固定するものである。この方法は、磁石を直接人体のつぼに密着させることができるので効果的である。そのような貼付式磁気治療器としては、例えば、特許文献２に示すような磁気治療器を挙げることができる。
【手続補正４】
【補正対象書類名】明細書
【補正対象項目名】００３９
【補正方法】変更
【補正の内容】
【００３９】
本発明の磁気治療具によれば、第１極性（例えばＳ極）を表面にした第１磁石と、第２極性（例えばＮ極）を表面にした第２磁石と、第１磁石及び第２磁石の表面を覆うとともに両者を互いに離間して固定する樹脂部材が、テーピング部材の表面に配置されているので、樹脂部材を介して、第１磁石及び第２磁石を使用者の皮膚に接触させることができる。したがって、第１磁石のＳ極と第２磁石のＮ極との組み合わせによって、単一の極（例えばＳ極のみ）の磁石の場合と比較して、磁気を身体に対して深く且つ広範囲に浸透させることができるとともに、その磁石ペアによる磁気の効果を、テーピング部材によって、任意の適切な身体の位置に配置することができる。さらに、樹脂部材（例えば、シリコーン樹脂）を介して、その磁石ペアの表面を皮膚に接触させるので、磁石が皮膚に直接接触する際に生じる影響（炎症など）を回避することができる。加えて、樹脂部材によって、第１磁石及び第２磁石を互いに離間して固定することができるので、第１磁石のＳ極と第２磁石のＮ極とが互いに引っ付いてしまうことを防止することができる。その結果、磁石が皮膚に直接接触する際に生じる影響（炎症など）を回避でき、任意の適切な身体の位置に配置することができるとともに、配置した位置において比較的広範囲に磁気効果を及ぼすことが可能な磁気治療具を実現することができる。
【手続補正５】
【補正対象書類名】明細書
【補正対象項目名】００５３
【補正方法】変更
【補正の内容】
【００５３】
この例では、第１凹部１６ａに収納された第１磁石１１の裏面（下面）、および、第２凹部１６ｂに収納された第２磁石１２の裏面（下面）は、樹脂構造体１０の下面１０ｂに位置する開口（１６ｃ）から露出している。なお、第１磁石１１または第２磁石１２は、それぞれ、第１凹部１６ａの開口１６ｃまたは第２凹部１６ｂの開口１６ｃから取り出し可能であるが、当該開口１６ｃを樹脂（又は他の材料）や接着剤で封入して埋めることも可能である。
【手続補正６】
【補正対象書類名】明細書
【補正対象項目名】００５５
【補正方法】変更
【補正の内容】
【００５５】
本実施形態のテーピング部材２０の上面２０ａは、剥離層が位置している。剥離層を取ると、粘着層付きの支持基層が露出する。この例において、剥離層は、例えば、剥離紙であり、粘着層は、例えばアクリル系樹脂の粘着剤から構成されている。支持基層は、シート形状を保持できるような材料から構成されていればよく、支持基層を構成する材料としては、例えば、ウレタン不織布、塩化ビニル、伸縮性綿布、ウレタンフィルム、オレフィンフィルムなどを用いることができる。テーピング部材２０は、典型的には、粘着層が形成された支持基層と、剥離層とを組み合わせたロール状の製品から作製することができる。なお、粘着層は、皮膚にできるだけ悪影響を与えない成分のものであることが好ましい。
【手続補正７】
【補正対象書類名】明細書
【補正対象項目名】００５６
【補正方法】変更
【補正の内容】
【００５６】
本実施形態の樹脂構造体１０（樹脂部材１５）は、接着剤によってテーピング部材２０に固定されている。具体的には、テーピング部材２０の表面のうちの樹脂構造体１０が位置している部分を除く領域には、粘着層が形成されており、そして、その粘着層の上に剥離層を配置することができる。テーピング部材２０の表面のうち、樹脂構造体１０が位置する領域には、接着層（接着剤が付与された層）が形成されており、その接着層によって樹脂構造体１０とテーピング部材２０の両者が固定されている。テーピング部材２０を構成する支持基層の上に接着層を形成して、樹脂構造体１０（樹脂部材１５）と固定することができる。あるいは、接着強度を確保できるのであれば、テーピング部材２０のうちの粘着層の上に、接着層を形成して、その接着層で樹脂構造体１０と固定してもよい。なお、図３（ｂ）において、樹脂構造体１０の下に位置する層、または、テーピング部材２０と樹脂構造体１０の間に位置する層を、接着層２１として表している。接着層２１は、例えば、両面テープ、または、接着剤による固着層である。
【手続補正８】
【補正対象書類名】明細書
【補正対象項目名】００５９
【補正方法】変更
【補正の内容】
【００５９】
本実施形態の第１磁石１１、第２磁石１２は、永久磁石であることが好ましい。また、磁力線の流れの設計をしやすくするために、同種の磁石（例えば、フェライト磁石）、特に、同種で、同一寸法で、同一磁力（例えば、同一の磁束密度）を用いることが製造プロセスや大量購入・大量生産の点でも好ましい。本実施形態の第１磁石１１、第２磁石１２は、フェライト磁石であり、フェライト磁石は、鉄酸化物粉末を主原料にした磁石であり、焼結磁石のため耐腐性・耐酸化性にも優れているという特長がある。また、フェライト磁石は、磁気保持力が高いので減磁しにくく、安定しており、規格品やロットがまとまった場合に最も安価な磁石ということで、性質の安定性、および、コスト面で有利である。
【手続補正９】
【補正対象書類名】明細書
【補正対象項目名】００６０
【補正方法】変更
【補正の内容】
【００６０】
本実施形態の第１磁石１１、第２磁石１２は、例えば、７０ミリテスラ（磁束密度：ｍＴ）から２００ミリテスラ（ｍＴ）のものを使用することができる。一例では、第１磁石１１、第２磁石１２は、フェライト磁石で、１００ｍＴ（１０００ガウス）、または、１３０ｍＴである。あるいは、第１磁石１１、第２磁石１２として、８０ｍＴ、１５０ｍＴなどのものを使用することができる。加えて、第１磁石１１、第２磁石は、希土類永久磁石（例えば、ネオジム磁石、または、サマコバ磁石）を使用することができる。希土類永久磁石（例えば、ネオジム磁石）の第１磁石１１、第２磁石１２でも、例えば、７０ミリテスラ（磁束密度：ｍＴ）から２００ミリテスラ（ｍＴ）のものを使用することができるが、フェライト磁石よりも、その上限を上げることができる（例えば、５００ｍＴのネオジム磁石）。
【手続補正１０】
【補正対象書類名】明細書
【補正対象項目名】００６１
【補正方法】変更
【補正の内容】
【００６１】
第１磁石１１と第２磁石１２との間の距離（隙間距離）Ｇは、例えば、２ｍｍ以上１０ｍｍ以下にすることができる。ただし、隙間距離Ｇは、使用する磁石の強さ（例えば、磁束密度（ｍＴ））によって変化し得るので、性能にあわせて適宜好適な距離Ｇを選択すればよい。図１に示した例の構成では、隙間距離Ｇは２．５ｍｍである。なお、隙間距離Ｇと、第１磁石１１および第２磁石１２の磁石の強さ（磁束密度）についての関係について、本願発明者は検討したので、それを以下に示す。
【手続補正１１】
【補正対象書類名】明細書
【補正対象項目名】００６２
【補正方法】変更
【補正の内容】
【００６２】
隙間距離Ｇがどのくらい離れると、磁石間の磁気ブリッジ効果（図１７中の「９３ｂ」）が無くなるかについて簡単に判定することは実は難しい。それは、図１７に示すように、Ｓ極とＮ極とに反転させた磁石９１・９２との間の磁力線は、皮膚の深さ方向に潜るために、皮膚表面での数字（磁束密度）としては現れにくいからである。ただし、皮膚表面（平面上）での数字（磁束密度）としては現れにくいとはいえ、何らかの参考になるということで、隙間距離Ｇを変化させて、その中間点（Ｇが４ｍｍであれば、その真ん中の点（磁石の境界から２ｍｍの点））での、平面上の磁束密度を測定した。ここでの「平面上」とは、第１磁石１１と第２磁石１２が配置されている同一平面（基準面の平面）の上ということである。
【手続補正１２】
【補正対象書類名】明細書
【補正対象項目名】００７４
【補正方法】変更
【補正の内容】
【００７４】
本実施形態の磁気治療具１００は、図４および図５に示すように改変することができる。図４及び図５に示した磁気治療具１００は、図１に示した磁気治療具１００と比較して、テーピング部材２０の長さＬ３が長いものである。図４及び図５に示したテーピング部材２０の長さ（縦長さ）Ｌ３は、例えば２０ｍｍ〜１２００ｍｍ（典型的には４０〜６０ｍｍ）である。また、樹脂構造体１０の幅（横長さ）Ｗ３は、例えば１０ｍｍ〜５０ｍｍ（典型的には２０ｍｍ）である。図４及び図５に示した構成は、テーピング部材２０の長さ（Ｌ３）が長いので、使用者（ユーザー）の身体のうちの比較的長い筋肉や腱などの部位をテーピングして、磁気治療するのに適しており、また、粘着面積が大きいので取れにくいという利点がある。
【手続補正１３】
【補正対象書類名】明細書
【補正対象項目名】００７５
【補正方法】変更
【補正の内容】
【００７５】
さらに、本実施形態の磁気治療具１００は、図６および図７に示すように改変することができる。上述した実施形態の磁気治療具１００においては、テーピング部材２０の上に、樹脂構造体１０を１個だけ配置したが、図６に示した磁気治療具１００では、樹脂構造体１０は、１つのテーピング部材２０の上に複数（ここでは、２個）配置されている。具体的には、テーピング部材２０の上面における右側に樹脂構造体１０Ａが形成され、左側に樹脂構造体１０Ｂが形成されている。このような構成にすれば、１つの磁気治療具１００（１枚のテーピング部材２０）で、複数箇所の磁気治療を実行することが可能となる。
【手続補正１４】
【補正対象書類名】明細書
【補正対象項目名】００８３
【補正方法】変更
【補正の内容】
【００８３】
一方で、そのような手法ではなく、図９に示すように行うことが可能である。図９に示した構造は、着磁前の第１磁性材料（例えば、円柱形状の粒状）１１ａ、第２磁性材料（例えば、円柱形状の粒状）１２ａを、樹脂構造体１０の凹部（１６a、１６ｂ）に充填する。第１磁性材料１１ａおよび第２磁性材料１２ａは、着磁前であるので、まだ極性はなく、それゆえに、樹脂構造体１０の凹部（１６a、１６ｂ）に一律に充填することができる。そのような状態で、着磁装置（３０Ａ、３０Ｂ）を用いて、樹脂構造体１０の凹部（１６a、１６ｂ）内の第１磁性材料１１ａ、第２磁性材料１２ａを着磁して、隣り合う磁石（１１、１２）同士が逆極性になるようにすることができる。
【手続補正１５】
【補正対象書類名】明細書
【補正対象項目名】００８９
【補正方法】変更
【補正の内容】
【００８９】
図１０（ａ）から（ｃ）に示した製造工程によっても、樹脂構造体１０の凹部１６ａ、１６ｂに、第１磁石１１、第２磁石１２の位置を合わせながら充填する工程を省略することができる。得られた樹脂構造体１０は、テーピング部材２０に接着して固定することで、本実施形態の磁気治療具１００にすることができる。
【手続補正１６】
【補正対象書類名】明細書
【補正対象項目名】００９９
【補正方法】変更
【補正の内容】
【００９９】
なお、上述した実施形態では、樹脂構造体１０に二つの磁石（１１、１２）を含めていたが、それに限るものではない。例えば、図１６に示すように、３つの磁石（１１ａ、１２、１１ｂ）を配列させて、樹脂構造体１０を構築してもよい。図１６では３つの磁石を直線的に配列させたが、４つ以上の磁石を配列させてもよいし、また、隣接する磁石の極が反転する配列形態で二次元的に（例えば、市松模様）樹脂構造体１０の中に複数の磁石を配列させてもよい。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
複数の磁石を含む磁気治療具であって、
第１極性を表面にし、第２極性を裏面にする第１磁石と、
第２極性を表面にし、第１極性を裏面にする第２磁石と、
前記第１磁石の前記表面および第２磁石の前記表面を覆うとともに、前記第１磁石および前記第２磁石を固定する樹脂部材と
を備え、
前記樹脂部材において、前記第１磁石と前記第２磁石とは互いに離間して配置されており、
前記樹脂部材、前記第１磁石の前記裏面、前記第２磁石の前記裏面は、テーピング部材の表面に配置されており、
前記樹脂部材の表面のうち、前記第１磁石と前記第２磁石との間に位置する領域には陥没部が形成されており、
前記樹脂部材の表面は、前記第１磁石および前記第２磁石に対応する位置を頂点として、上に凸の曲面を有している、磁気治療具。
【請求項２】
前記第１磁石は、前記第１極性がＳ極の永久磁石であり、
前記第２磁石は、前記第２極性がＮ極の永久磁石であり、
前記樹脂部材は、シリコーン樹脂から構成されており、
前記テーピング部材は、接着剤によって、前記第１磁石および前記第２磁石を固定している前記樹脂部材と接着されており、
前記テーピング部材の表面のうちの前記樹脂部材が位置している部分を除く領域には、粘着層が形成されており、
前記粘着層の上には、剥離層が形成されている、請求項１に記載の磁気治療具。
【請求項３】
前記第１磁石および前記第２磁石は、フェライト磁石であり、
前記第１磁石と前記第２磁石とが離間している隙間距離は、２ｍｍ以上１０ｍｍ以下である、請求項１または２に記載の磁気治療具。
【請求項４】
前記樹脂部材は、前記第１磁石および前記第２磁石を収容する凹部を有しており、
前記凹部は、前記樹脂部材の裏面に形成されており、
前記樹脂部材の表面は、皮膚に接する面である、請求項１から３の何れか一つに記載の磁気治療具。
【請求項５】
前記樹脂部材には、前記第１磁石および前記第２磁石以外の第３磁石が収納されている、請求項１から４の何れか一つに記載の磁気治療具。
【請求項６】
前記テーピング部材の表面に、複数の前記樹脂部材が配置されている、請求項１から５の何れか一つに記載の磁気治療具。
【請求項７】
複数の磁石を含む磁気治療具であって、
第１凹部および第２凹部を有する樹脂構造体と、
前記第１凹部に収納され、第１極性を上面にし第２極性を下面にする第１磁石と、
前記第２凹部に収納され、第２極性を上面にし第１極性を下面にする第２磁石と
を備え、
第１凹部および第２凹部は、前記樹脂構造体の下面に開口を有しており、
前記樹脂構造体の上面は、使用者の皮膚に接触する面であり、
前記樹脂構造体の上面のうち、前記第１磁石と前記第２磁石との間に位置する領域には陥没部が形成されており、
前記樹脂構造体の上面は、前記第１磁石および前記第２磁石に対応する位置を頂点として、上に凸の曲面を有している、磁気治療具。
【請求項８】
前記第１凹部の開口および第２凹部の開口を含む前記樹脂構造体の下面は、シート部材によって覆われている、請求項７に記載の磁気治療具。
【請求項９】
前記シート部材の上面のうち、前記樹脂構造体が位置する領域を除く領域は、粘着層であり、
前記粘着層の上層には、剥離層が形成されている、請求項８に記載の磁気治療具。
【請求項１０】
前記シート部材の上面のうち、前記樹脂構造体が位置する領域には、前記シート部材と前記樹脂構造体を接着させる接着層が形成されている、請求項９に記載の磁気治療具。
【請求項１１】
前記シート部材は、伸縮性を有するサポーター部材である、請求項８に記載の磁気治療具。
【請求項１２】
前記樹脂構造体が行列状にシート部材の上に配列されている、請求項７に記載の磁気治療具。
【請求項１３】
前記樹脂構造体は、シリコーン樹脂から構成されており、
前記第１磁石および前記第２磁石は、フェライト磁石であり、
前記第１磁石と前記第２磁石とが離間している隙間距離は、２ｍｍ以上１０ｍｍ以下である、請求項７から１２の何れか一つに記載の磁気治療具。